(57)【特許請求の範囲】
【請求項１】
生地載置板の一端側に、生地の一端側を、前記生地載置板の上面側から下面側へと反転させるように案内する反転ガイド通路を設け、この反転ガイド通路の始端側から終端側へと流れるエアー流によって生地の一端側を前記反転ガイド通路に沿って案内して反転させることで折り曲げるように構成した生地端折り曲げ装置であって、
前記生地の一端側の反転後の部分を反挿入方向に案内するように該生地の反転後の部分の表裏両側にエアーを噴出させる上下一対のノズル孔を前記生地載置板の下面側に設けたことを特徴とする生地端折り曲げ装置。
【請求項２】
生地の一端側を反転ガイド通路へと挿入する方向に案内するように該生地の一端側の表裏両側にエアーを噴出させる上下一対のノズル孔を前記生地載置板の上面側に設けたことを特徴とする請求項１に記載の生地端折り曲げ装置。
【請求項３】
反転ガイド通路の終端側に、反転された生地の端部を接当させるストッパを設け、このストッパを、上下方向のストッパピンを生地挿入方向及び上下方向に直交する方向に相互に間隔をおいて設けることにより構成したことを特徴とする請求項１又は２に記載の生地端折り曲げ装置。
【請求項４】
ストッパを生地の挿入方向前後に位置調節自在に設けたことを特徴とする請求項３に記載の生地端折り曲げ装置。
【請求項５】
生地載置板の一端側下方に間隔をおいて隙間形成部材を配置することで、生地載置板と隙間形成部材との間に反転ガイド通路の終端側を形成すると共に、前記隙間形成部材を昇降自在に支持したことを特徴とする請求項１〜４のいずれかに記載の生地端折り曲げ装置。
【発明の詳細な説明】
【０００１】
【発明の属する技術分野】
本発明は、生地の一端側を折り曲げる生地端折り曲げ装置に関するものである。
【０００２】
【従来の技術】
従来、生地の一端側を折り曲げて縫製する場合に、生地の一端側を自動的に折り曲げる生地端折り曲げ装置がある。この生地の端部を折り曲げるための生地端折り曲げ装置として、生地載置板の一端側に、生地の一端側を、生地載置板の上面側から下面側へと反転させるように案内する反転ガイド通路を設け、この反転ガイド通路を流れるエアー流によって、生地の一端側を案内して折り曲げるようにしたものがある。
【０００３】
【発明が解決しようとする課題】
前記従来のものにあっては、エアー流は、生地の表側を流れるようにしているので、生地の裏側が生地載置板に接触して、折りにくく、折り幅が安定しないという問題がある。
また、反転ガイド通路を生地の厚さに対応させる調整をしたり、生地の折り幅を調整したりするときにあっては、装置全体を取り外したり、緩めたりする必要があり、時間を要するという問題がある。また、微調整できないものであった。
【０００４】
そこで、本発明は前記問題点に鑑みて、折りやすく、安定した折り幅を確保できる生地端折り曲げ装置を提供することを目的とする。
【０００５】
【課題を解決するための手段】
本発明が前記目的を達成するために講じた技術的手段は、生地載置板の一端側に、生地の一端側を、前記生地載置板の上面側から下面側へと反転させるように案内する反転ガイド通路を設け、この反転ガイド通路の始端側から終端側へと流れるエアー流によって生地の一端側を前記反転ガイド通路に沿って案内して反転させることで折り曲げるように構成した生地端折り曲げ装置であって、
前記生地の一端側の反転後の部分を反挿入方向に案内するように該生地の反転後の部分の表裏両側にエアーを噴出させる上下一対のノズル孔を前記生地載置板の下面側に設けたことを特徴とする。
【０００６】
また、生地の一端側を反転ガイド通路へと挿入する方向に案内するように該生地の一端側の表裏両側にエアーを噴出させる上下一対のノズル孔を前記生地載置板の上面側に設けることができる
また、反転ガイド通路の終端側に、反転された生地の端部を接当させるストッパを設け、このストッパを、上下方向のストッパピンを生地挿入方向及び上下方向に直交する方向に相互に間隔をおいて設けることにより構成するのがよい。
また、ストッパを生地の挿入方向前後に位置調節自在に設けるのがよい。
【０００７】
また、生地載置板の一端側下方に間隔をおいて隙間形成部材を配置することで、生地載置板と隙間形成部材との間に反転ガイド通路の終端側を形成すると共に、前記隙間形成部材を昇降自在に支持するのがよい。
【０００８】
【発明の実施の形態】
以下、本発明の実施の形態を図面に基づいて説明する。
図１〜図４において、１は生地Ｔを載置する生地載置板であり、図示省略の支持部材によってベース部材２上等に支持されている。
なお、以下、便宜上、図１〜図７における矢示Ａ方向を左右方向（矢示Ａ１方向が左側方で、矢示Ａ２方向が右側方）といい、この矢示Ａ方向及び上下方向に直交する矢示Ｂ方向を前後方向（矢示Ｂ１方向が前方で、矢示Ｂ２方向が後方）という。
【０００９】
この生地載置板１の一端側１ａの下方側には、支持台３（隙間形成部材）が間隔（隙間）をおいて配置されている。この支持台３は支持装置４を介してベース部材２上等に昇降可能に支持されていて、生地載置板１との間の隙間が調節自在とされている。
また、この支持台２は生地載置板１から側方（右側方Ａ２）に突出状とされており、この支持台２の突出部分上には生地反転ガイド５が配置（載置）されている。この生地反転ガイド５は、該生地反転ガイド５を上下方向に貫通し且つ支持台２に形成したネジ孔に螺合されたボルト６によって支持台２に取付固定されている。
【００１０】
この生地反転ガイド５に形成されたボルト６の挿通孔７は左右方向Ａに長い長孔とされており、これにより生地反転ガイド５は支持台２に左右方向Ａに位置調節可能に取り付けられている。
生地載置板１の一端側１ａ縁部は円弧状に形成されると共に、生地反転ガイド５の左側下部には、この円弧状縁部に対向する湾曲凹状（円弧凹状）のガイド面８が左方から右方に向けて凹設されている。
また、生地反転ガイド５の左側上部には、生地載置板１の一端側１ａ上方に向けて延出する延出部９が形成され、この延出部９の下面は前記ガイド面８の上端に連続場とされている。また、ガイド面８の下端は生地反転ガイド５の下面（支持台３上面）に近接している。
【００１１】
前記支持台２上面，ガイド面８及び延出部９下面と、生地載置板１の一端側１ａ上下面との間の隙間が、生地Ｔの一端側を、生地載置板１の上面側から下面側へと反転させるように案内する反転ガイド通路１１とされている。
この反転ガイド通路１１の前後両側は前後方向に開放状とされている。
また、この反転ガイド通路１１は、その上部左側が始端側１１ａとされ、下部左側が終端側１１ｂとされており、生地載置板１上の生地Ｔの一端側は始端側１１ａから終端側１１ｂへと流れるエアー流により始端側から反転ガイド通路１１に挿入され（引き込まれ）、中途部の湾曲部分１１ｃで反転され、終端側１１ｂにおいて、ストッパ１２に接当して止まるように構成されている。
【００１２】
したがって、矢示Ａ１方向が生地Ｔの一端側を反転ガイド通路１１へと挿入する生地挿入方向とされ、矢示Ａ２方向が生地反挿入方向とされている。
反転ガイド通路１１の始端側１１ａには、生地載置板１上の生地Ｔの一端側を生地挿入方向Ａ１に案内するようにエアーを噴出させる上下一対のノズル孔１３，１４が設けられ、反転ガイド通路１１の終端側１１ｂと湾曲部分１１ｃとの間には、生地反転後の生地Ｔの一端側を生地反挿入方向Ａ２に案内するようにエアーを噴出させる上下一対のノズル孔１５，１６が設けられている。
【００１３】
生地反転ガイド５の延出部９の下面には、延出部９の前後方向に亘る長さのノズルプレート１７が配置されており、このノズルプレート１７は、延出部９を上下方向に貫通し、且つノズルプレート１７に形成されたネジ孔１８に螺合されたボルト１９によって延出部９に取付固定されている。
また、この延出部９下面側の、ノズルプレート１７取付部分には、下方から上方に向けて凹設されていて、前後方向に長く且つ前後両端及び左右両端が閉塞状で下端開口状の溝からなる空気室２１が形成されている。
【００１４】
前記ノズルプレート１７の左側及び前後両端部分は、延出部９下面に面接状に接当していて、空気室２１の下端開口を閉塞しており、ノズルプレート１７の右側部分には、前後両側及び左方Ａ１側が閉塞状で右方に向けて開放状とされた溝部２２が上方から下方に向けて凹設されている。
この溝部２２は前記空気室２１に連通すると共に、空気室２１に相当する前後長さに形成されている。
また、延出部９には、空気室２１に連通する複数のエア供給孔２３が上下方向に形成されており、このエア供給孔２３は、エア供給源とパイプ、ホース、継手等を介して接続されており、このエア供給源からのエアーは、エア供給孔２３から空気室２１を経て溝部２２に至り、該溝部２２から延出部９の下面に沿って右側方Ａ２、すなわち生地挿入方向Ａ２に向けてエアーが噴出する。この溝部２２から噴出したエアーはガイド面８に沿って生地反挿入方向Ａ１に方向転換される。
【００１５】
前記溝部２２及び延出部９下面側等によって、生地反転前の上側のノズル孔１３が構成されている。
また、生地反転前の下側のノズル孔１４は、生地載置板１に形成されており、上側のノズル孔１３の左方Ａ１側に位置する。このノズル孔１４は上方に向かうにしたがって生地挿入方向Ａ２に移行する傾斜状に形成され、生地載置板１の上面から上下方向中途部に亘って形成されると共に、生地載置板１の上下方向中途部に形成された前後方向Ｂのエア供給孔２４に連通している。
【００１６】
また、エア供給孔２４は生地載置板１の略前後方向Ｂに亘って形成されており、ノズル孔１４は、前記上側のノズル孔１３の前後長さに相当する前後長さに形成されている（または、生地載置板１の前端から後端に亘って所定間隔をおいて多数形成されていてもよい）。
また、エア供給孔２４は、エア供給源とパイプ、ホース、継手等を介して接続されており、このエア供給源からのエアは、エア供給孔２４からノズル孔１４に至り、このノズル孔１４から生地挿入方向Ａ２に向けて斜め上方に噴出する。
【００１７】
生地Ｔの一端側を反転ガイド通路１１の始端側（下側のノズル孔１４の開口端よりも右方側）に置くと、上下のノズル孔１３，１４から噴出するエアーによって生地Ｔの一端側は反転ガイド通路１１へと挿入され、反転ガイド通路１１の湾曲部分１１ｃで生地Ｔの一端側が生地反挿入方向Ａ１へと方向転換されて折り曲げられる（したがって、生地反転前の上下のノズル孔１３，１４から噴出するエアーは生地Ｔを反転ガイド通路１１に挿入すると共に生地反挿入方向Ａ１へと反転させる役目をする）。
【００１８】
このとき、前記上側のノズル孔１３から噴出するエアーは生地Ｔの表側を流れ、下側のノズル孔１４から噴出するエアーは生地Ｔの裏側を流れ、この生地Ｔの表裏両側を流れるエアーにより、生地Ｔはスムーズに移動する。
また、反転ガイド通路１１の終端側１１ｂと湾曲部分１１ｃとの間に配置された上下のノズル孔１５，１６から噴出するエアーは、反転された生地Ｔの一端側をストッパ１２まで移送する役目をする。
上側のノズル孔１５は、生地載置板１に形成され、前記ノズル孔１４の右方Ａ２側に位置する。
【００１９】
このノズル孔１５は、下方に向かうにしたがって生地反挿入方向Ａ１に移行する傾斜状に形成され、生地載置板１の下面から上下方向中途部に亘って形成されると共に、生地載置板１の上下方向中途部に形成された前後方向Ｂのエア供給孔２５に連通している。
この、エア供給孔２５は生地載置板１の略前後方向Ｂに亘って形成されており、ノズル孔１５は、前記ノズル孔１３，１４の前後長さに相当する前後長さに形成されている（または、生地載置板１の前端から後端に亘って所定間隔をおいて多数形成されていてもよい）。
【００２０】
また、エア供給孔２５は、エア供給源とパイプ、ホース、継手等を介して接続されており、このエア供給源からのエアは、エア供給孔２５からノズル孔１５に至り、このノズル孔１５から生地反挿入方向Ａ１に向けて斜め下方に噴出する。
また、生地反転ガイド５の、ガイド面８右方Ａ２側には、下方から上方に向けて凹設されていて、前後方向に長く且つ前後両端及び左右両端が閉塞状で下端開口状の溝からなる空気室２６が形成されている。この空気室２６は、前記ノズル孔１３，１４の前後長さに相当する前後長さに形成されている。
【００２１】
また、支持台３の上面側には、前記空気室２６下端から生地載置板１下方に至る溝部２７が形成されている。この溝部２７は、上方から下方に向けて凹設されていて、前後両側及び左右両側が閉塞状で上端開口状に形成されており、前記空気室２６に連通されていると共に、空気室２６に相当する前後長さに形成されている。
また、生地反転ガイド５には、右端から左方Ａ１に向けて、空気室２６に連通するエア供給孔２８が複数形成されている。このエア供給孔２８は、エア供給源とパイプ、ホース、継手等を介して接続されており、このエア供給源からのエアは、エア供給孔２８から空気室２６を経て溝部２７に至り、該溝部２７から生地反挿入方向Ａ１に向けてエアが噴出する。
【００２２】
前記溝部２７及び生地反転ガイド５の下面側等によって、生地反転後の下側のノズル孔１６が構成されている。
前記上側のノズル孔１５から噴出するエアーは生地Ｔの表側を流れ、下側のノズル孔１６から噴出するエアーは生地Ｔの裏側を流れ、この生地Ｔの表裏両側を流れるエアーにより、反転された生地Ｔはストッパ１２へとスムーズに移動する。
ストッパ１２は、上下方向の軸心を有する多数本のストッパピン１２ａを前後方向Ｂ（生地挿入方向Ａ２及び上下方向に直交する方向）に相互に間隔をおいて一列状に配置することで構成されている。
【００２３】
ストッパピン１２ａは、円柱状で、相互に間隔をおいて配置されているので、生地Ｔの一端側をストッパ１２まで移送してきたエアーが逃げやすく（反射しにくく）、生地Ｔの端部を正確にストッパ１２まで移動させることができ、しかも、各ピン１２ａは細かく並んでいるので、生地Ｔが座屈しにくくなっている。
各ストッパピン１２ａは、その上端側が生地載置板１Ｂの上面に配置された取付プレート２９に固定されていると共に、生地載置板１を貫通して生地載置板１下面から下方に突出状とされており、且つ下端側が支持台３に形成された凹部３０に挿入状とされている。
【００２４】
また、取付プレート２９は、該取付プレート２９及び生地載置板１を貫通すると共に、生地載置板１の下面側に配置されたナット部材３１に螺合されたボルト３２によって生地載置板１に取付固定されている。
図５に示すように、ストッパピン１２ａを挿通する挿通孔３３、ボルト３２を挿通するボルト挿通孔３４及び前記凹部３０は生地挿入方向Ａ２前後に長く形成されており、ストッパピン１２ａ及びボルト３２が生地挿入方向Ａ２前後に移動可能とされており、ボルト３２を緩めることにより、取付プレート２９とともにストッパ１２が生地挿入方向Ａ２前後に位置調節可能とされている。
【００２５】
そして、ストッパ１２を生地挿入方向Ａ２前後に位置調節することにより、生地Ｔの一端側の折り幅が容易に調節できるように構成されている。
なお、ボルト挿通孔３４は挿通孔３３に連通している。
前記構成の生地端折り曲げ装置において、折り曲げた生地Ｔの一端側をミシンで縫製するには、例えば、生地端折り曲げ装置の前方Ｂ１側（又は後方Ｂ２側）に、ミシンを配置し、折り曲げた生地Ｔの一端側を前方Ｂ１（ミシン配置側）に送ってミシンで縫製する。このとき、各ノズル孔１３，１４，１５，１６からエアーを噴出させたまま生地Ｔを前方Ｂ１に送る。すると、生地載置板１の後方にある生地Ｔの一端側も順次折り曲げながら前方Ｂ１に送られることとなり、生地Ｔの一端側を前端から後端に亘って一定量折り曲げながら縫製することができる。
【００２６】
支持台３を支持する支持装置４は、図３、図６及び図７に示すように、複数本（３本）の支柱３５を有する。各支柱３５は上部側部材３５ａと下部側部材３５ｂとから構成され、上部側部材３５ａは、その上端側が支持台３に取付固定され、その下部側が、下部側部材３５ｂの上部に形成された挿通孔３６に上方から上下動自在に挿入されている。
下部側部材３５ｂはベース部材２に取付固定されている。
また、上部側部材３５ａ及び下部側部材３５ｂには、それぞれプレート３７，３８がボルト３９によって取付固定されている。
【００２７】
下側のプレート３８にはネジ孔４０が上下方向に貫通状に形成されており、このネジ孔４０には、外周面に雄ネジが形成されたネジ杆４１が螺合されている。
このネジ杆４１の下端側にはハンドル４２が取付固定され、ネジ杆４１の上端側は、上側のプレート３７に取り付けられたフローティングジョイント４３に連結され、このフローティングジョイント４３によって前記ネジ杆４１は上側のプレート３７に対して相対回転するようになっている。
したがって、ハンドル４２を操作してネジ杆４１を軸心廻りに回動させると、ネジ杆４１が螺進又は螺退して上下動し、これによって、上側のプレート３７及び支柱３５の上部側部材３５ａとともに支持台３が昇降し、生地Ｔの厚さに対応して、支持台３と生地載置板１との間の隙間の調節が容易にできるように構成されている。
【００２８】
【発明の効果】
本発明によれば、生地載置板の一端側に、生地の一端側を、前記生地載置板の上面側から下面側へと反転させるように案内する反転ガイド通路を設け、この反転ガイド通路の始端側から終端側へと流れるエアー流によって生地の一端側を前記反転ガイド通路に沿って案内して反転させることで折り曲げるように構成した生地端折り曲げ装置であって、
前記生地の一端側の反転後の部分を反挿入方向に案内するように該生地の反転後の部分の表裏両側にエアーを噴出させる上下一対のノズル孔を前記生地載置板の下面側に設けたので、生地の一端側を反転ガイド通路の始端側から終端側へとスムーズに送ることができる。
【００２９】
また、生地の一端側を反転ガイド通路へと挿入する方向に案内するように該生地の一端側の表裏両側にエアーを噴出させる上下一対のノズル孔を前記生地載置板の上面側に設けることにより、生地の一端側を反転ガイド通路の始端側から終端側に亘って良好に案内することができる。
また、反転ガイド通路の終端側に、反転された生地の端部を接当させるストッパを設け、このストッパを、上下方向のストッパピンを生地挿入方向及び上下方向に直交する方向に相互に間隔をおいて設けることにより構成することにより、反転ガイド通路の終端側へと流通してきたエアー流が逃げやすく、生地の一端側を確実にストッパへと送ることができる。
【００３０】
また、ストッパを生地の挿入方向前後に位置調節自在に設けることにより、生地の折り幅調整に容易に対応することができる。
また、生地載置板の一端側下方に間隔をおいて隙間形成部材を配置することで、生地載置板と隙間形成部材との間に反転ガイド通路の終端側を形成すると共に、前記隙間形成部材を昇降自在に支持することにより、生地の厚さに対応した、反転ガイド通路終端側の隙間調整が容易にできる。
【図面の簡単な説明】
【図１】  本発明の要部の断面図である。
【図２】  図４のａ−ａ線矢示断面図である。
【図３】  生地端折り曲げ装置の正面図である。
【図４】  生地端折り曲げ装置の平面図である。
【図５】  図４のｃ部分の生地載置板の平面断面図である。
【図６】  支持台を支持する支持装置の主要部分の一部断面正面図である。
【図７】  図３のｂ−ｂ線矢示断面図である。
【符号の説明】
１    生地載置板
３    支持台（隙間形成部材）
１１    反転ガイド通路
１２    ストッパ
１３    ノズル孔
１４    ノズル孔
１５    ノズル孔
１６    ノズル孔
Ｔ    生地
【図１】
0004326098.tif 000002
【図２】
0004326098.tif 000003
【図３】
0004326098.tif 000004
【図４】
0004326098.tif 000005
【図５】
0004326098.tif 000006
【図６】
0004326098.tif 000007
【図７】
0004326098.tif 000008